(57)【要約】【課題】塗布具をスムーズに出し入れすること。【解決手段】内容物が収容される第１収容容器２と、第１収容容器に対してスライド移動可能に重ね合され、第１収容容器によって開閉される取出口５０が形成された第２収容容器３と、取出口を通じて取出し可能に第２収容容器内に収容された塗布具４とを備え、第２収容容器は、取出口が閉塞される閉位置と取出口が開放される開位置Ｐ２との間をスライド移動可能に配設され、第２収容容器内には、上下に折り返されて塗布具を上下方向に挟み込むシート体８０が取出口から外部に向けて引き出し可能に配設されている、塗布具付きコンパクト容器１を提供する。【選択図】図５
2018068774.tif 000002
【特許請求の範囲】
【請求項１】
内容物が収容される第１収容容器と、
前記第１収容容器に対してスライド移動可能に重ね合され、前記第１収容容器によって開閉される取出口が形成された第２収容容器と、
前記取出口を通じて取出し可能に前記第２収容容器内に収容された塗布具と、を備え、
前記第２収容容器は、前記取出口が閉塞される閉位置と、前記取出口が開放される開位置と、の間をスライド移動可能に配設され、
前記第２収容容器内には、上下に折り返されて前記塗布具を上下方向に挟み込むシート体が前記取出口から外部に向けて引き出し可能に配設されている、塗布具付きコンパクト容器。
【請求項２】
請求項１に記載の塗布具付きコンパクト容器において、
前記シート体は、上下方向及び引き出し方向に直交する幅方向の長さが、前記塗布具の幅方向の長さ以上とされ、前記塗布具をその全幅に亘って上下方向に挟んでいる、塗布具付きコンパクト容器。
【請求項３】
請求項１又は２に記載の塗布具付きコンパクト容器において、
前記第２収容容器と前記シート体との間には、前記取出口からの前記シート体の所定量を超える引き出しを規制する規制部材が配設されている、塗布具付きコンパクト容器。
【請求項４】
請求項１から３のいずれか１項に記載の塗布具付きコンパクト容器において、
前記第２収容容器は、前記第１収容容器の下方に配設され、
前記シート体は、前記塗布具を下方から支持する下シート部と、折返し部を介して前記下シート部に一体に形成され、前記塗布具を上方から覆う上シート部と、を備え、
前記下シート部は、前記塗布具及び前記上シート部よりも前記折返し部から引き出し方向に長く形成されている、塗布具付きコンパクト容器。
【請求項５】
請求項４に記載の塗布具付きコンパクト容器において、
前記下シート部には、前記折返し部とは反対側に位置するシート端縁に、前記取出口側に向けて突出する摘み片が形成されている、塗布具付きコンパクト容器。
【請求項６】
請求項４又は５に記載の塗布具付きコンパクト容器において、
前記第２収容容器には、前記下シート部を前記第２収容容器の底部側から前記取出口側に向けて案内するガイド板が配設されている、塗布具付きコンパクト容器。
【請求項７】
請求項１から６のいずれか１項に記載の塗布具付きコンパクト容器において、
前記塗布具は、ブラシが取り付けられた柄部を有する刷毛である、塗布具付きコンパクト容器。
【発明の詳細な説明】
【技術分野】
【０００１】
本発明は、塗布具付きコンパクト容器に関する。
【背景技術】
【０００２】
コンパクト容器として、例えば下記特許文献１に示されるように、化粧用塗布具が収納されると共に化粧料等の内容物が注出される化粧具室が形成された収納皿と、収納皿の下面にスライド移動可能に装着され、予備の化粧用塗布具が収納される予備収納皿と、を備えたものが知られている。
予備収納皿は、上方に開口した有底皿状に形成され、その開口部が予備の化粧用塗布具を出し入れする取出口とされている。収納皿に対して予備収納皿をスライド移動させることで、取出口を閉状態から開状態にすることができ、予備の化粧用塗布具を取出して使用することが可能となる。
【先行技術文献】
【特許文献】
【０００３】
【特許文献１】実開昭６０−１１６９１１号公報
【発明の概要】
【発明が解決しようとする課題】
【０００４】
しかしながら、上記従来のコンパクト容器では、予備収納皿のスライド移動によって取出口の一部を開口させる構造とされているので、取出口の開口面積を十分に確保することが難しい。そのため、予備の化粧用塗布具を取り出し難いという課題があった。また、予備の化粧用塗布具を予備収納皿内に戻す場合においても、取出口に予備の化粧用塗布具が引っ掛かり易く、スムーズに戻し難い課題がある。
【０００５】
本発明は、このような事情に鑑みてなされたものであって、その目的は、塗布具をスムーズに出し入れすることができる、塗布具付きコンパクト容器を提供することである。
【課題を解決するための手段】
【０００６】
（１）本発明に係る塗布具付きコンパクト容器は、内容物が収容される第１収容容器と、前記第１収容容器に対してスライド移動可能に重ね合され、前記第１収容容器によって開閉される取出口が形成された第２収容容器と、前記取出口を通じて取出し可能に前記第２収容容器内に収容された塗布具と、を備え、前記第２収容容器は、前記取出口が閉塞される閉位置と、前記取出口が開放される開位置と、の間をスライド移動可能に配設され、前記第２収容容器内には、上下に折り返されて前記塗布具を上下方向に挟み込むシート体が前記取出口から外部に向けて引き出し可能に配設されている。
【０００７】
本発明に係る塗布具付きコンパクト容器では、第１収容容器に対して第２収容容器をスライド移動させて、第２収容容器を閉位置から開位置にセットすることで取出口を開放させることができる。これにより、第２収容容器内に配設されているシート体を取出口から外部に引き出す（引っ張り出す）ことができると共に、シート体に挟み込まれている塗布具をシート体と共に取出口から外部に引き出すことができる。そして、シート体と共に引き出された塗布具をシート体から取り出すことで、塗布具を使用することが可能となる。
このように、塗布具を直接的に取出口から取り出すのではなく、塗布具を上下方向から挟み込んだシート体ごと塗布具を引き出すので、取出口の開口面積が十分に確保できない場合であっても、塗布具をスムーズに取り出すことができる。
【０００８】
また、塗布具を第２収容容器内に収容する場合には、取出口から引き出されたシート体の内側に塗布具を進入させながら、シート体ごと塗布具を第２収容容器内に押し込む。これにより、シート体で塗布具を上下方向から挟み込んだ状態で、これらシート体及び塗布具を第２収容容器内に押し込んで格納でき、元の状態に戻すことができる。
特に、シート体の内側に塗布具を挟み込んだ状態を維持しながら取出口を通過させて、塗布具及びシート体を第２収容容器内に戻すので、その過程において、塗布具をシート体で覆って保護できる。そのため、取出口の開口面積が十分に確保できない場合であっても、塗布具が取出口に引っ掛かり難く、塗布具を第２収容容器内にスムーズに収容することができる。
【０００９】
（２）前記シート体は、上下方向及び引き出し方向に直交する幅方向の長さが、前記塗布具の幅方向の長さ以上とされ、前記塗布具をその全幅に亘って上下方向に挟んでいることが好ましい。
【００１０】
この場合には、塗布具をその全幅に亘ってシート体で覆うことができ、シート体を利用して塗布具を包み込むように上下方向から挟み込むことが可能である。従って、塗布具の引っ掛かりを効果的に抑制でき、塗布具のよりスムーズな出し入れを行うことができる。また、塗布具に内容物が付着していたとしても、シート体が塗布具をその全幅に亘って覆うので内容物が飛散することを防止し易い。さらに、例えばブラシ等の軟性の塗布部を塗布具が具備していたとしても、塗布部を包み込むようにシート体で保護できるので、例えば塗布部が折れ曲がった状態のまま収容されることを防止でき、折れ曲がりに起因する癖等が塗布部についてしまうことを防止し易い。
【００１１】
（３）前記第２収容容器と前記シート体との間には、前記取出口からの前記シート体の所定量を超える引き出しを規制する規制部材が配設されていることが好ましい。
【００１２】
この場合には、第２収容容器からシート体が抜け出てしまうことを防止できるので、シート体の引き出し操作性を向上することができる。そのため、塗布具の出し入れ操作を安定して行い易い。
【００１３】
（４）前記第２収容容器は、前記第１収容容器の下方に配設され、前記シート体は、前記塗布具を下方から支持する下シート部と、折返し部を介して前記下シート部に一体に形成され、前記塗布具を上方から覆う上シート部と、を備え、前記下シート部は、前記塗布具及び前記上シート部よりも前記折返し部から引き出し方向に長く形成されていることが好ましい。
【００１４】
この場合には、第２収容容器が第１収容容器の下方に配設されているので、第１収容容器に対して第２収容容器をスライド移動させて開位置にセットしたときに、取出口を上方に向けて開放させることができる。そのため、塗布具を出し入れする際に、例えば塗布具に付着した内容物が落下したとしても、第２収容容器内に留めることができ、それ以外の場所に飛散することを防止し易い。
また、下シート部が塗布具を引き出し方向の全長に亘って支持するので、下シート部の引き出し操作に伴って塗布具を安定且つ容易に取出口から外部に引き出すことができる。
【００１５】
（５）前記下シート部には、前記折返し部とは反対側に位置するシート端縁に、前記取出口側に向けて突出する摘み片が形成されていることが好ましい。
【００１６】
この場合には、摘み片を利用して下シート部の引き出し操作を行えるので、塗布具の取出しをさらに容易に行うことができると共に、摘み片という特定の位置を、例えば指先で摘みながら引き出し操作を行えるので、シート体及び塗布具の引き出し具合を再現性良く繰り返すことができる。従って、塗布具の取出し操作を繰り返し安定して行うことができる。
【００１７】
（６）前記第２収容容器には、前記下シート部を前記第２収容容器の底部側から前記取出口側に向けて案内するガイド板が配設されていることが好ましい。
【００１８】
この場合には、ガイド板に沿って下シート部を引き出すことができるので、例えば第２収容容器の深さに影響されることなく、下シート部を抵抗少なくスムーズに取出口から外部に引き出すことができる。
【００１９】
（７）前記塗布具は、ブラシが取り付けられた柄部を有する刷毛であることが好ましい。
【００２０】
この場合には、シート体でブラシを保護しながら塗布具（刷毛）の出し入れを行うことができるので、取出口に対するブラシの引っ掛かり等を抑制でき、ブラシに癖等が付いてしまうことを防止できる。従って、ブラシの毛並みの状態を良好に維持することができ、例えばブラシによる繊細な塗布を行える。従って、例えば化粧筆等の化粧用塗布具として好適に利用できる。
【発明の効果】
【００２１】
本発明によれば、シート体を利用することで、複雑な機構を採用することなく塗布具をスムーズに出し入れすることができ、出し入れ操作を容易に行うことができる。また、シート体で塗布具を覆って保護できるので、塗布具の引っ掛かりが生じ難く、塗布具の品質を維持し易い。
【図面の簡単な説明】
【００２２】
【図１】本発明に係るコンパクト容器（塗布具付きコンパクト容器）の実施形態を示す平面図である。
【図２】図１に示すＡ−Ａ線に沿うコンパクト容器の縦断面図である。
【図３】図２に示すＢ−Ｂ線に沿うコンパクト容器の縦断面図である。
【図４】図１に示す状態から第２収容容器を開位置にスライド移動させた状態を示すコンパクト容器の平面図である。
【図５】図４に示すＣ−Ｃ線に沿うコンパクト容器の縦断面図である。
【図６】図１に示すシート体の折り返し前における平面図である。
【図７】図６に示すＤ−Ｄ線に沿うシート体の断面図である。
【図８】図５に示す状態からシート体を引き出しはじめた状態を示すコンパクト容器の縦断面図である。
【図９】図８に示す状態からシート体をさらに引き出した状態を示すコンパクト容器の平面図である。
【図１０】図９に示すＥ−Ｅ線に沿うコンパクト容器の縦断面図である。
【図１１】図１０に示す状態からシート体をさらに引き出して、返し片をフランジ壁に対して係合させた状態を示すコンパクト容器の縦断面図である。
【図１２】本発明に係るコンパクト容器（塗布具付きコンパクト容器）の変形例を示す図であって、シート体を取出口から引き出した状態を示すコンパクト容器の縦断面図である。
【図１３】図１２に示す状態におけるコンパクト容器の平面図である。
【発明を実施するための形態】
【００２３】
以下、本発明に係る塗布具付きコンパクト容器（以下、単にコンパクト容器と称する）の実施形態について、図面を参照して説明する。
【００２４】
図１〜図３に示すように、本実施形態のコンパクト容器１は、持ち運び可能な携帯用容器であり、内容物が収容される第１収容容器２と、第１収容容器２に対してスライド移動可能に重ね合された第２収容容器３と、第２収容容器３内に収容された刷毛（塗布具）４と、を備えている。
なお、内容物としては特に限定されるものではないが、例えばファンデーション等の化粧料等が挙げられる。
【００２５】
本実施形態では、コンパクト容器１の厚さ方向において、第１収容容器２側を上方とし、第２収容容器３側を下方とする。そのため、コンパクト容器１の厚さ方向が上下方向となる。また、上下方向に直交する２方向のうち一方向を前後方向Ｌ１、他方向を左右方向Ｌ２とする。さらに、前後方向Ｌ１のうち、後述するロック片４０側を前方とし、ヒンジブロック３７側を後方とする。
【００２６】
第１収容容器２及び第２収容容器３は、互いに同形及び同サイズの薄型容器とされ、図示の例では左右方向Ｌ２よりも前後方向Ｌ１に僅かに長い平面視矩形状に形成されている。ただし、この場合に限定されるものではなく、第１収容容器２及び第２収容容器３は、前後方向Ｌ１よりも左右方向Ｌ２に長い平面視矩形状に形成されても構わないし、左右方向Ｌ２の長さと前後方向Ｌ１の長さとが同等の平面視正方形状に形成されていても構わない。さらには、第１収容容器２及び第２収容容器３の形状は、平面視で矩形状や正方形状以外の形状であっても良い。
【００２７】
第１収容容器２は、上方に向けて開口する薄型の有底筒状に形成された第１容器本体１０と、第１容器本体１０に対して開閉可能に連結された蓋体３０と、を備えている。
【００２８】
第１容器本体１０は、第１底壁部１１と、第１底壁部１１の外周縁部に連結され、上下方向に沿って延びた第１周壁部１２と、を備えている。
第１周壁部１２は、前方に位置する前壁部１３と、後方に位置する後壁部１４と、左右方向Ｌ２の両側に位置すると共に、前壁部１３と後壁部１４とを前後方向Ｌ１に接続する一対の側壁部１５と、を有している。なお、第１周壁部１２は第１底壁部１１よりも下方に向けて突出している。
【００２９】
前壁部１３には、左右方向Ｌ２に沿って延びると共に下方に開口する縦溝１３ａが形成されている。これにより、前壁部１３は縦溝１３ａを挟んで壁部が前後方向Ｌ１に並んだ二重壁状に形成されている。
前壁部１３の下端部には、前方に向けて突出したフランジ壁１６が形成されている。前壁部１３の上端部側には、前方に向けて突出した第１係合突起１７が形成されている。第１係合突起１７は、前壁部１３における左右方向Ｌ２の中央部分に形成され、左右方向Ｌ２に沿って僅かに延びるように形成されている。
【００３０】
後壁部１４には、後壁部１４を上下に貫く連結凹部１８が形成されている。連結凹部１８は、後壁部１４における左右方向Ｌ２の中央部分に形成され、後方に向けてさらに開口している。
一対の側壁部１５には、前後方向Ｌ１に沿って延びると共に下方に開口する縦溝１５ａがそれぞれ形成されている。これにより、一対の側壁部１５は、前壁部１３と同様に縦溝１５ａを挟んで壁部が左右方向Ｌ２に並んだ二重壁状に形成されている。
一対の側壁部１５の上端部には、全長に亘って段差部１９がそれぞれ形成されている。これにより、一対の側壁部１５の上端部は、左右方向Ｌ２の外側部分が内側部分よりも下方に凹んでいる。
【００３１】
第１底壁部１１と第１周壁部１２とで画成される第１容器本体１０の内部には、上方に開口した金属製の中皿２０が嵌合等によって取り付けられている。この中皿２０の内部に内容物が収容される。
なお、図示の例では中皿２０の内部を１つの収容空間としているが、例えば複数の仕切り壁によって中皿２０の内部を複数の収容空間に仕切る構成としても構わない。この場合には、例えば各収容空間内に異なる内容物を別個に収容することが可能となる。ただし、中皿２０は必須なものではなく、具備しなくても構わない。
【００３２】
第１底壁部１１には、第１底壁部１１を上下に貫通する貫通孔２１が形成されている。貫通孔２１は、第１底壁部１１における左右方向Ｌ２の中央部分に形成され、左右方向Ｌ２よりも前後方向Ｌ１に長い平面視矩形状に形成されている。
さらに第１底壁部１１には、下方に向けて僅かに突出すると共に前後方向Ｌ１に沿って延びる一対のガイドリブ２２が形成されている。一対のガイドリブ２２は、貫通孔２１の開口縁に沿って形成され、左右方向Ｌ２に間隔をあけて平行に配設されている。なお、ガイドリブ２２は、その下端開口縁が第１周壁部１２の下端開口縁と略面一となるように下方に突出している。
ガイドリブ２２の下端部には、左右方向Ｌ２の内側に向けて突出したガイド突起２３がガイドリブ２２の全長に亘って形成されている。
【００３３】
蓋体３０は、平面視矩形状に形成され、第１容器本体１０の第１底壁部１１に対して上下方向に対向する天板部３１と、天板部３１の外周縁部から下方に向けて延びた枠壁部３２と、を備え、第１容器本体１０に対して左右方向Ｌ２に延びる回転軸線Ｍ回りに回転可能に連結されている。
【００３４】
枠壁部３２は、前方に位置する前枠部３３と、後方に位置する後枠部３４と、左右方向Ｌ２の両側に位置すると共に前枠部３３と後枠部３４とを前後方向Ｌ１に接続する一対の側枠部３５と、を有している。
【００３５】
前枠部３３は、第１容器本体１０のフランジ壁１６に対して上方から対向している。一対の側枠部３５は、第１容器本体１０における一対の側壁部１５の段差部１９に対して上方から対向している。これらのことより、蓋体３０は上下方向に位置決めされた状態で第１容器本体１０に対して重なっている。
なお、前枠部３３における左右方向Ｌ２の中央部分には、前枠部３３を前後方向Ｌ１に貫通すると共に下方に開口した窓孔３６が形成されている。
【００３６】
後枠部３４には、左右方向Ｌ２の中央部分において、下方に向けて突設されると共に第１容器本体１０側の連結凹部１８内に収容されたヒンジブロック３７が形成されている。
ヒンジブロック３７は、左右方向Ｌ２に沿って延びると共に下端部が半円状に突出している。ヒンジブロック３７と連結凹部１８とは、左右方向Ｌ２に沿って延びた回転軸部３８を介して互いに連結されている。
回転軸部３８は、連結凹部１８における左右方向Ｌ２の内側端部と、ヒンジブロック３７における左右方向Ｌ２の外側端部とをそれぞれ連結している。なお、回転軸部３８の中心軸線が上記回転軸線Ｍとされている。
【００３７】
これにより、蓋体３０の全体は、第１容器本体１０に対して回転軸線Ｍ回りに回転可能に連結され、回転軸線Ｍ回りに蓋体３０を開閉操作することが可能とされている。
【００３８】
前枠部３３には、第１容器本体１０に対する蓋体３０の閉状態を維持するロック片４０が窓孔３６内に配置されるように設けられている。
ロック片４０は、左右方向Ｌ２に延びた板状に形成されると共に、窓孔３６を画成する上壁面から下方に向けて突設されている。なお、ロック片４０の下端部とフランジ壁１６との間には、例えば指先を進入させることができる程度の隙間が上下方向に確保されている。
【００３９】
ロック片４０には、後方に向けて突出すると共に、第１容器本体１０側に形成された第１係合突起１７に対して離脱可能にアンダーカット嵌合される第２係合突起４１が形成されている。第１係合突起１７に対して第２係合突起４１が下方から係合することによって、蓋体３０は閉状態でロックされる。
そして、例えば指先等によって、ロック片４０の下端部を前方に向けて僅かに撓ませるように移動させて、第１係合突起１７と第２係合突起４１との係合を解除することで、蓋体３０の閉状態のロックを解除することが可能となる。
【００４０】
蓋体３０における天板部３１の内面には、平面視矩形状の鏡４２が取り付けられている。なお、鏡４２の取付方法としては、例えば接着剤や両面テープ等による接着、その他の方法による固着等が挙げられるが、特に限定されるものではない。図示の例では、鏡４２は薄い板状に形成されているが、この場合に限定されるものではなく、例えばシート状或いはフィルム状の鏡であっても構わないし、天板部３１の内面に金属反射膜を蒸着する方法等により鏡を設けても構わない。
ただし、鏡４２は必須なものではなく、具備しなくても構わない。
【００４１】
第２収容容器３は、第１収容容器２に対して前後方向Ｌ１にスライド移動可能に、第１収容容器２の下方に組み合わされている。第２収容容器３は、スライド移動に伴って第１収容容器２により開閉される取出口５０を有している。
そして、第２収容容器３は、図１〜図３に示すように取出口５０が閉塞される閉位置Ｐ１と、図４及び図５に示すように取出口５０が開放される開位置Ｐ２と、の間をスライド移動可能に構成されている。
【００４２】
なお、図１〜図３に示すように、第１収容容器２と第２収容容器３とが上下方向に完全に重なり合っているときの第２収容容器３の位置が閉位置Ｐ１となる。そして、図４及び図５に示すように、閉位置Ｐ１から第２収容容器３が第１収容容器２に対して、第２収容容器３における前後方向Ｌ１の長さの略半分の長さ分、前方に向けてスライド移動したときの第２収容容器３の位置が開位置Ｐ２となる。
【００４３】
図１〜図３に示すように、第２収容容器３は、上方に向けて開口すると共に、第１収容容器２全体の厚みと同等の厚みの有底筒状に形成された第２容器本体６０と、第２容器本体６０内に配設された内枠部７０と、を備えている。
【００４４】
第２容器本体６０は、第２底壁部（底部）６１と、第２底壁部６１の外周縁部から上方に向けて延びた第２周壁部６２と、を備えている。第２周壁部６２の上端部は、第１収容容器２におけるフランジ壁１６、一対の側壁部１５、及び後壁部１４に対して下方から対向している。
【００４５】
内枠部７０は、第２容器本体６０の開口部を塞ぐ閉塞板７１と、閉塞板７１から下方に向けて延びると共に前方に位置する前方枠部（ガイド板）７２と、閉塞板７１から下方に向けて延びると共に後方に位置する後方枠部７３と、閉塞板７１から下方に向けて延びると共に左右方向Ｌ２の両側に位置し、且つ前方枠部７２と後方枠部７３とを前後方向Ｌ１に接続する一対の側方枠部７４と、を備えている。
そして、内枠部７０と第２底壁部６１とで画成された空間が、刷毛４を収容する収容空間となる。
【００４６】
閉塞板７１には、閉塞板７１を上下方向に貫通する上記取出口５０が形成されている。取出口５０は、閉塞板７１のうち主に前方側から前後方向Ｌ１の中央部分に亘って形成され、前後方向Ｌ１よりも左右方向Ｌ２に長い平面視矩形状に形成されている。
なお、取出口５０の開口端縁のうち、前方に位置する前方端縁における左右方向Ｌ２の中央部分は、前方に向けて円弧状に膨らんだ膨出端縁５１が形成されている。
【００４７】
さらに閉塞板７１には、上方に向けて突出すると共に前後方向Ｌ１に沿って延びる一対のスライドリブ７５が形成されている。
一対のスライドリブ７５は、閉塞板７１における後方側において、左右方向Ｌ２に間隔をあけて配設されている。より具体的には、一対のスライドリブ７５は、一対のガイドリブ２２に対して左右方向Ｌ２の内側から向かい合うように配設されている。
スライドリブ７５の上端部には、左右方向Ｌ２の外側に向けて突出し、ガイド突起２３に対して上方から接触するスライド突起７６がスライドリブ７５の全長に亘って形成されている。スライド突起７６は、ガイド突起２３に対して前後方向Ｌ１に移動可能に接触している。
【００４８】
このように、スライド突起７６がガイド突起２３に対して前後方向Ｌ１に移動可能に上方から接触していることで、第２収容容器３は第１収容容器２に対して上下方向に組み合わされていると共に第１収容容器２に対して前後方向Ｌ１にスライド可能とされている。
【００４９】
なお、図４及び図５に示すように、第２収容容器３を開位置Ｐ２にスライド移動させたときに、一対のスライドリブ７５は第１底壁部１１に形成された貫通孔２１の前方端縁に対して後方から接触可能とされている。これにより、第２収容容器３は、それ以上の前方に向けたスライド移動が規制される。
なお、図４及び図５では、一対のスライドリブ７５と貫通孔２１の前方端縁との間に、若干の隙間があいている場合を図示している。また、閉塞板７１には、スライド突起７６を射出成形で形成する場合の抜き孔７１ａが閉塞板７１を上下方向に貫通するように形成されている。
【００５０】
図１〜図３に示すように、前方枠部７２は、取出口５０の開口周縁のうち、膨出端縁５１を含む前方端縁に沿って左右方向Ｌ２に延びると共に、前方端縁から下方に向けて延びている。図示の例では、前方枠部７２は、下方に向かうにしたがって漸次後方に向けて湾曲するように形成され、第２底壁部６１に対して上方から接触している。
このように前方枠部７２は湾曲しているので、前方枠部７２は後述する下シート部８１を第２底壁部６１側から取出口５０側に向けて案内する役割を果たしている。
【００５１】
後方枠部７３は、左右方向Ｌ２に沿って延びる板状に形成されると共に閉塞板７１から下方に向けて延び、第２底壁部６１に対して上方から接触している。図示の例では、後方枠部７３は第２周壁部６２との間に隙間をあけた状態で第２周壁部６２の内側（前方）に配設されている。
一対の側方枠部７４は、前後方向Ｌ１に沿って延びる板状に形成されると共に閉塞板７１から下方に向けて延び、第２底壁部６１に対して上方から接触している。図示の例では、一対の側方枠部７４は、第２周壁部６２との間に隙間をあけた状態で第２周壁部６２の左右方向Ｌ２の内側に配設され、且つ前方枠部７２と後方枠部７３とを前後方向Ｌ１に一体に連結している。
【００５２】
一対の側方枠部７４の下端部には、側方枠部７４を左右方向Ｌ２に貫通すると共に下方に開口し、且つ前後方向Ｌ１に延びたスライド溝７７がそれぞれ形成されている。
図示の例では、スライド溝７７は、後側壁面７７ａが後方枠部７３よりも若干前方に位置する部分に配置され、且つ前側壁面７７ｂが前方枠部７２の下端部よりも若干後方に位置する部分に配置されるように、前後方向Ｌ１に沿って直線状に形成されている。
【００５３】
なお、スライド溝７７は、側方枠部７４を左右方向Ｌ２に貫通する場合に限定されるものではなく、例えば側方枠部７４の内面に凹状に形成されていても構わない。
【００５４】
上述のように構成された第２収容容器３内には、上下に折り返されて刷毛４を上下方向から挟み込むシート体８０が、取出口５０から外部に向けて引き出し可能に配設されている。
【００５５】
刷毛４について簡単に説明する。
刷毛４は、ブラシ５が取り付けられた柄部６を備えている。図示の例では、左右方向Ｌ２に沿った刷毛４の横幅は、取出口５０の左右方向Ｌ２に沿った長さよりも僅かに短く形成されている。また、前後方向Ｌ１に沿った刷毛４の全長は、取出口５０の前後方向Ｌ１に沿った長さよりも僅かに長く、且つ第２収容容器３内に収まる長さに形成されている。また、上下方向に沿った刷毛４の厚みは、第２収容容器３内に収まる厚みとされている。
このように構成された刷毛４は、柄部６を取出口５０側に向けた状態で第２収容容器３内に収容されている。
【００５６】
シート体８０は、図１〜図３、図６及び図７に示すように、フィルム状の薄いシートであって、刷毛４を下方から支持する下シート部８１と、折返し部８２を介して下シート部８１に連結され、刷毛４を上方から覆って押さえ込む上シート部８３と、を備えている。
なお、シート体８０としては、例えば平滑性、非伸縮性で一定の引張強度を有し、且つ折り曲げ前の状態に復帰しようとする復元力が高いものが好ましい。
【００５７】
シート体８０は、折返し部８２を後方側に配置させた状態で、前方に引き出し可能に第２収容容器３内に配設されている。
シート体８０の全体は、左右方向Ｌ２に沿った幅方向の長さ（横幅）が刷毛４の横幅よりも僅かに長く形成され、刷毛４をその全幅に亘って上下方向に挟んでいる。下シート部８１は、刷毛４及び上シート部８３よりも、折返し部８２から前方に向けて長く形成されている。図示の例では、下シート部８１のうち、刷毛４よりも前方に位置する部分は、第２容器本体６０における前方枠部７２上に配置されていると共に、前方枠部７２の形状に倣って上方に向けて湾曲している。
なお、シート体８０の横幅は刷毛４の横幅と同じ長さでも良いが、刷毛４をその全幅に亘って上下方向に確実に挟み込むために、上述のようにシート体８０の横幅を刷毛４の横幅よりも長くすることがより好ましい。
【００５８】
下シート部８１には、折返し部８２とは前後方向Ｌ１の反対側に位置するシート端縁に、取出口５０に向けて突出する摘み片８４が形成されている。
摘み片８４は、下シート部８１における左右方向Ｌ２の中央部分に形成され、取出口５０よりも僅かに上方に突出して、第１収容容器２側の縦溝１３ａ内に下方から入り込んでいる。また、摘み片８４と第１容器本体１０の膨出端縁５１との間には、例えば指先を入れることができる程度の隙間が形成されている。
【００５９】
下シート部８１には、上方に向けて僅かに膨らんだ膨出部８５が形成されている。図示の例では、膨出部８５は、下シート部８１における前後方向Ｌ１の中央部分に配置され、上方に膨らむと共に左右方向Ｌ２に沿って延びるように形成されている。
膨出部８５は、柄部６とブラシ５との接続部分よりも後方に配置され、刷毛４に対してシート体８０が前方移動したときに、柄部６とブラシ５との接続部分に対して後方から接触可能とされている。
【００６０】
さらに下シート部８１には、左右方向Ｌ２の外側に向けて突出し、側方枠部７４に形成されたスライド溝７７内に入り込む係止突起８６が形成されている。係止突起８６は、下シート部８１のうち折返し部８２よりも僅かに前方に位置する部分に形成され、前方に向いた係止面８７を有している。
係止突起８６は、シート体８０の引き出し操作に伴ってスライド溝７７に沿って移動し、取出口５０からシート体８０が所定量引き出されたときに、スライド溝７７の前側壁面７７ｂに対して後方から接触して、前側壁面７７ｂに対して係止される。これにより、シート体８０はそれ以上の前方への引き出しが規制される。
【００６１】
従って、係止突起８６及びスライド溝７７は、第２収容容器３とシート体８０との間に設けられ、取出口５０からのシート体８０の所定量を超える引き出しを規制する規制部材９０を構成する。
【００６２】
上シート部８３には、上方に向けて折り返された返し片８８が形成されている。返し片８８は、上シート部８３における左右方向Ｌ２の中央部分に形成され、前方から後方に立ち上がるように折り返されている。
なお、上シート部８３には、シート体８０の折り返しに伴う復元力によって折返し部８２を中心として上方に起き上がるような応力が作用している。そのため、返し片８８は、シート体８０の引き出し操作の過程において、上シート部８３が上方に起き上がることに伴って第１収容容器２におけるフランジ壁１６に対して下方から接触可能とされている。
【００６３】
（コンパクト容器の使用）
次に、上述したように構成されたコンパクト容器１を使用する場合について説明する。
この場合には、図１〜図３に示す状態から、第１収容容器２に対して第２収容容器３を前方にスライド移動させて、図４及び図５に示すように第２収容容器３を閉位置Ｐ１から開位置Ｐ２にセットする。
【００６４】
このとき、一対のスライドリブ７５が一対のガイドリブ２２によってガイドされるので、がたつき少なく安定して第２収容容器３を前後方向Ｌ１にスライド移動させることができる。また、第２収容容器３を開位置Ｐ２に位置させたときに、一対のスライドリブ７５を貫通孔２１の前方端縁に接触させることが可能であるので、第２収容容器３を開位置Ｐ２に確実にセットすることができる。
【００６５】
第２収容容器３を開位置Ｐ２にセットすることで、取出口５０を開放させることができる。本実施形態では、第２収容容器３が第１収容容器２の下方に配設されているので、取出口５０を上方に向けて開放させることができる。
取出口５０を開放させることで、第２収容容器３内に配設されているシート体８０を取出口５０から外部に引き出す（引っ張り出す）ことができると共に、シート体８０に挟み込まれている刷毛４をシート体８０と共に取出口５０から外部に引き出すことができる。
【００６６】
具体的に説明する。
第２収容容器３を開位置Ｐ２にセットして取出口５０を開放させると、下シート部８１の摘み片８４が取出口５０の上方に突出した状態となっている。そのため、摘み片８４を例えば指先等で把持しながら、下シート部８１を前方且つ上向きに引き出すことができる。このとき、摘み片８４と膨出端縁５１との間に形成された隙間に指先を入れることができるので、摘み片８４を容易に把持し易い。
【００６７】
そして、図８に示すように下シート部８１を引き出すことで、刷毛４を挟み込んだ状態でシート体８０の全体を徐々に引き出すことができる。なお、シート体８０に形成された係止突起８６は、シート体８０の引き出し操作に伴って第２収容容器３に形成されたスライド溝７７内を前方に向けて移動する。
【００６８】
この際、シート体８０に形成された膨出部８５が柄部６とブラシ５との接続部分に対して後方から接触（図５参照）するので、シート体８０と共に刷毛４を取出口５０から確実に引き出すことが可能となる。特に、図５に示すように刷毛４の全体が第２収容容器３内に入り込んでいる、引き出し初期状態においては、膨出部８５を利用してシート体８０と共に刷毛４を効果的に引き出し易くなる。
【００６９】
ところで上シート部８３には、シート体８０の折り返しに伴う復元力によって折返し部８２を中心として上方に起き上がるような応力が作用している。そのため、図９及び図１０に示すように、シート体８０及び刷毛４の取出し操作を進行させて上シート部８３を取出口５０から外部に徐々に引き出すと、上シート部８３は上方に起き上がりながら取出口５０から引き出される。
従って、シート体８０を取出口５０から引き出すにつれて、上シート部８３を刷毛４から離間するように徐々に開かせることができる。
【００７０】
そして、図１１に示すように、返し片８８が取出口５０の近くに達する程度、上シート部８３を引き出すと、返し片８８は第１収容容器２のフランジ壁１６に対して下方から接触して係合する。そのため、シート体８０の引き出し操作をさらに進行させることで、上シート部８３を返し片８８とフランジ壁１６との係合部分を起点として大きく開かせることができ、上シート部８３を刷毛４からさらに大きく離間させることができる。
【００７１】
これにより、シート体８０を取出口５０から十分に引き出すことができると共に、シート体８０から刷毛４を容易に取り出し易くすることができる。そして最後に、シート体８０と共に引き出された刷毛４をシート体８０から取り出すことで、刷毛４を使用することが可能となる。
【００７２】
なお、刷毛４を取り出すことに前後して、例えば指先等によって、ロック片４０の下端部を前方に向けて僅かに撓ませるように移動させて、第１係合突起１７と第２係合突起４１との係合を解除し、蓋体３０の閉状態のロックを解除し、蓋体３０を第１軸線回りに回転させて開状態にする。
これにより、取り出した刷毛４のブラシ５に、第１容器本体１０に収容されている内容物を付着させて、内容物の塗布を行える。
【００７３】
上述のように、刷毛４を直接的に取出口５０から取り出すのではなく、刷毛４を包み込むように上下方向から挟み込んだシート体８０ごと刷毛４を引き出すので、取出口５０の開口面積が十分に確保できない場合であっても、刷毛４をスムーズに取り出して利用することができる。
【００７４】
また、内容物の塗布が終了した後、刷毛４を第２収容容器３内に戻して収容する場合には、取出口５０から引き出されたシート体８０の内側に刷毛４を進入させながら、シート体８０ごと刷毛４を第２収容容器３内に押し込む。これにより、シート体８０で刷毛４を上下方向から挟み込んだ状態で、これらシート体８０及び刷毛４を第２収容容器３内に押し込んで格納でき、元の状態に戻すことができる（図５に示す状態）。
【００７５】
特に、シート体８０の内側に刷毛４を挟み込んだ状態を維持しながら取出口５０を通過させて、刷毛４及びシート体８０を第２収容容器３内に戻すので、その過程において、刷毛４をシート体８０で覆って保護できる。そのため、取出口５０の開口面積が十分に確保できない場合であっても、刷毛４が取出口５０に引っ掛かり難く、刷毛４を第２収容容器３内にスムーズに収容することができる。
【００７６】
上述したように、本実施形態のコンパクト容器１によれば、シート体８０を利用することで、刷毛４をスムーズに出し入れすることができ、出し入れ操作を容易に行うことができる。
また、シート体８０で刷毛４を覆って保護できるので、刷毛４の引っ掛かりが生じ難く、刷毛４の品質を維持し易い。特に、シート体８０でブラシ５を保護できるので、取出口５０に対するブラシ５の引っ掛かりを抑制できる。そのため、軟性の塗布部であるブラシ５に癖等が付いてしまうことを防止して、ブラシ５の毛並みの状態を良好に維持することができ、例えばブラシ５による繊細な塗布を行える。従って、例えば化粧筆（メイクブラシ）等の化粧用塗布具として刷毛４を好適に利用できる。
【００７７】
また、シート体８０が刷毛４をその全幅に亘って覆うので、シート体８０を利用してブラシ５を含む刷毛４の全体を包み込むように上下方向から挟み込むことが可能である。従って、刷毛４の引っ掛かりを効果的に抑制でき、刷毛４のよりスムーズな出し入れを行うことができる。また、例えばブラシ５が折れ曲がった状態のまま収容されることを防止でき、折れ曲がりに起因する癖等がブラシ５につくことを効果的に防止できるうえ、ブラシ５に内容物が付着したとしても、シート体８０がブラシ５をその全幅に亘って覆うので内容物が飛散することを防止し易い。
【００７８】
また、下シート部８１が刷毛４を前後方向Ｌ１の全長に亘って支持するので、下シート部８１の引き出し操作に伴って刷毛４を安定且つ容易に取出口５０から外部に引き出すことができる。
さらに、摘み片８４を利用して下シート部８１の引き出し操作を行えるので、刷毛４の取出しを容易に行えると共に、摘み片８４という特定の位置を毎回例えば指先で摘まみながら引き出し操作できるので、シート体８０及び刷毛４の引き出し具合を再現性良く繰り返すことができる。従って、刷毛４の取出し操作を繰り返し安定して行うことができる。
【００７９】
また、第１収容容器２における前方枠部７２に沿って下シート部８１を引き出すことができるので、第２収容容器３の深さ（厚み）に影響されることなく、下シート部８１を抵抗少なくスムーズに取出口５０から外部に引き出すことができる。
しかも、下シート部８１に形成された係止突起８６がスライド溝７７内を移動するので、例えば第２底壁部６１からの下シート部８１の浮き上がりを抑えながら、下シート部８１を前方に移動させることができる。これにより、シート体８０及び刷毛４のスムーズな引き出し操作を行い易い。
【００８０】
なお、本発明の技術範囲は、上記実施形態に限定されるものではなく、本発明の趣旨を逸脱しない範囲において、種々の変更を加えることが可能である。
【００８１】
例えば、上記実施形態では、塗布具として刷毛４を用いた場合を例に挙げて説明したが、刷毛４に限定されるものではなく、例えばパフ等、内容物を塗布できるものであれば良い。
【００８２】
また、第１収容容器２の下側に第２収容容器３を配設させて、第１収容容器２と第２収容容器３とを上下に組み合わせたが、この場合に限定されるものではなく、第１収容容器２の上側に第２収容容器３を組み合わせても構わない。
ただし、上述のように第１収容容器２の下側に第２収容容器３を配設することで、取出口５０を上方に向けて開口させることができるので、例えば刷毛４を出し入れする際に、ブラシ５に付着した内容物が落下したとしても、第２収容容器３内に留めることができ、それ以外の場所に飛散することを防止し易い。
【００８３】
また、上記実施形態では、第１収容容器２に対して第２収容容器３を前後方向Ｌ１にスライド操作可能に構成したが、この場合に限定されるものではなく、例えばその他の方向にスライド移動させても構わないし、回転によるスライド移動であっても構わない。
【００８４】
また、上記実施形態では、スライド溝７７を前後方向Ｌ１に沿って直線状に形成したが、図１２に示すようにスライド溝７７のうち前方寄りの部分が前方に向かうにしたがって上方に向けて僅かに湾曲するように、スライド溝７７を形成しても構わない。
なお、この場合のスライド溝７７の湾曲具合としては、例えば前後方向Ｌ１に沿った刷毛４の全長、取出口５０の開口面積、第２収容容器３の厚み等を考慮しながら、シート体８０の引き出し角度に対応するように設定すれば良い。
【００８５】
スライド溝７７を湾曲させた場合、図１２に示すように、第２収容容器３の第２底壁部６１に上方に向けて突出すると共に、スライド溝７７内に下方から入り込むガイド壁６１ａを形成することが好ましい。
【００８６】
ガイド壁６１ａは、第２底壁部６１のうちスライド溝７７に対して対向する部分に形成されると共に、前後方向Ｌ１に沿って延びるように形成されている。具体的には、ガイド壁６１ａはスライド溝７７内の前方部分に配置され、スライド溝７７の湾曲に対応するように前方に向かうにしたがって上方に向けて湾曲するように形成されている。これにより、ガイド壁６１ａの上端面は、なだらかに湾曲した湾曲面とされている。
【００８７】
スライド溝７７内にガイド壁６１ａが配置されていることで、スライド溝７７の上壁面と、ガイド壁６１ａの上端面との上下方向の間隔（スライド溝７７の溝高さ）を、スライド溝７７の全長に亘って一定にすることが可能とされている。
【００８８】
上述のようにスライド溝７７及びガイド壁６１ａを形成することで、シート体８０の引き出し操作に伴って、下シート部８１に形成された係止突起８６をガイド壁６１ａの上端面に沿ってガイドしながらスライド溝７７に沿って移動させることができるので、シート体８０を取出口５０に向けて誘導させ易くなる。
【００８９】
従って、図１２及び図１３に示すように、上記実施形態の場合よりもシート体８０の引き出し操作をさらに進行させることができ、予め設定した所定量の引き出しを行うことで、例えば刷毛４のブラシ５の先端部を取出口５０の下方付近まで移動させることが可能となる。
なお、これ以上シート体８０を引き出した場合には、返し片８９がフランジ壁１６から外れて両者の係合が解除されると共に、シート体８０が第２収容容器３から抜け出てしまうおそれがある。
【００９０】
この点、本実施形態では、図１２及び図１３に示すように刷毛４のブラシ５の先端部が取出口５０の下方付近まで移動すると、下シート部８１に形成された係止突起８６の係止面８７が、スライド溝７７の前側壁面７７ｂに対して後方から接触して係止される。
これにより、シート体８０はそれ以上の引き出しが規制される。従って、規制部材９０を利用して第２収容容器３からシート体８０が抜け出てしまうことを防止することができる。従って、シート体８０の引き出し操作性を向上することができ、刷毛４の出し入れ操作を安定して行うことができる。また、操作者はシート体８０の引き出し操作が完了したことを、容易且つ確実に認識することができる。
【００９１】
上述のように、スライド溝７７の前方側を上方に向けて湾曲させ、これに対応してガイド壁６１ａを形成することで、シート体８０を取出口５０からさらに引き出すことが可能になり、より好ましい。
【００９２】
その他、本発明の趣旨に逸脱しない範囲で、実施形態における構成要素を周知の構成要素に置き換えることは適宜可能であり、また、実施形態や変形例を適宜組み合わせてもよい。
【符号の説明】
【００９３】
Ｐ１…閉位置
Ｐ２…開位置
１…コンパクト容器（塗布具付きコンパクト容器）
２…第１収容容器
３…第２収容容器
４…刷毛（塗布具）
５…ブラシ
６…柄部
５０…取出口
６１…第２収容容器の第２底壁部（底部）
７２…前方枠部（第２ガイド板）
８０…シート体
８１…下シート部
８２…折返し部
８３…上シート部
８４…摘み片
９０…規制部材
【図１】
2018068774.tif 000003
【図２】
2018068774.tif 000004
【図３】
2018068774.tif 000005
【図４】
2018068774.tif 000006
【図５】
2018068774.tif 000007
【図６】
2018068774.tif 000008
【図７】
2018068774.tif 000009
【図８】
2018068774.tif 000010
【図９】
2018068774.tif 000011
【図１０】
2018068774.tif 000012
【図１１】
2018068774.tif 000013
【図１２】
2018068774.tif 000014
【図１３】
2018068774.tif 000015